(57)【要約】【課題】記憶容量が小さくなることを抑制しつつ、長期間にわたってデータを保持することができる車両用表示装置を提供する。【解決手段】車両用表示装置は、車両情報に係る画像を表示するディスプレイと、画像データに基づきディスプレイに画像を表示させる制御部と、画像データＤ１がｐＳＬＣとして記憶される第１パーティション２１、及び画像データＤ１を更新するための更新データであるカスタマイズ用画像データＤ２が一時的にＭＬＣとして記憶される第２パーティション２２を有する不揮発性記憶素子の一例であるフラッシュメモリ２０と、を備える。【選択図】図２
2020003836.tif 000002
【特許請求の範囲】
【請求項１】
車両情報に係る画像を表示する表示部と、
画像データに基づき前記表示部に画像を表示させる制御部と、
前記画像データがｐＳＬＣとして記憶される第１パーティション、及び前記画像データを更新するための更新データが一時的にＭＬＣとして記憶される第２パーティションを有する不揮発性記憶素子と、を備える、
車両用表示装置。
【請求項２】
前記制御部は、
前記更新データとしてカスタマイズ用画像データを前記第２パーティションにダウンロードするダウンロード処理部と、
車両のイグニッションがオフであるとき、ダウンロードされた前記カスタマイズ用画像データを前記第２パーティションから前記第１パーティションに移動させる移動処理部と、を備える、
請求項１に記載の車両用表示装置。
【請求項３】
前記不揮発性記憶素子はＮＡＮＤ型のフラッシュメモリである、
請求項１又は２に記載の車両用表示装置。
【発明の詳細な説明】
【技術分野】
【０００１】
本発明は、車両用表示装置に関する。
【背景技術】
【０００２】
従来から、例えば、特許文献１に記載されるように、車両制御情報を記憶するフラッシュメモリが知られている。
【先行技術文献】
【特許文献】
【０００３】
【特許文献１】特開２０１１−１２８７５１号公報
【発明の概要】
【発明が解決しようとする課題】
【０００４】
このフラッシュメモリには、記憶方式として、例えば、１つのセルに２ビットのデータを記憶するＭＬＣ（Multi Level Cell）と１つのセルに１ビットのデータを記憶するＳＬＣ（Single Level Cell）が存在する。ＭＬＣにおいては、ＳＬＣに比べて、記憶容量を大きくできるものの、長期間にわたってデータを保持することが困難であった。一方、ＳＬＣにおいては、ＭＬＣに比べて、長期間にわたってデータを保持することができるものの、記憶容量を大きくすることが困難であった。
【０００５】
本発明は、上記実状を鑑みてなされたものであり、記憶容量が小さくなることを抑制しつつ、長期間にわたってデータを保持することができる車両用表示装置を提供することを目的とする。
【課題を解決するための手段】
【０００６】
上記目的を達成するため、本発明に係る車両用表示装置は、車両情報に係る画像を表示する表示部と、画像データに基づき前記表示部に画像を表示させる制御部と、前記画像データがｐＳＬＣとして記憶される第１パーティション、及び前記画像データを更新するための更新データが一時的にＭＬＣとして記憶される第２パーティションを有する不揮発性記憶素子と、を備える。
【発明の効果】
【０００７】
本発明によれば、記憶容量が小さくなることを抑制しつつ、長期間にわたってデータを保持することができる。
【図面の簡単な説明】
【０００８】
【図１】本発明の一実施形態に係る車両用表示装置のブロック図である。
【図２】本発明の一実施形態に係るフラッシュメモリのブロック図である。
【図３】本発明の一実施形態に係るフラッシュメモリのブロック図である。
【図４】本発明の一実施形態に係る更新処理のフローチャートである。
【発明を実施するための形態】
【０００９】
本発明に係る車両用表示装置の一実施形態について、図面を参照して説明する。
図１に示すように、車両用表示装置１は、制御部１０と、表示部に相当するディスプレイ３０と、不揮発性記憶素子に相当するフラッシュメモリ２０と、を備える。車両用表示装置１は、車両速度等の車両情報を表示する車両計器である。
【００１０】
ディスプレイ３０は、例えば、ＴＦＴ（Thin Film Transistor）型の液晶ディスプレイである。ディスプレイ３０は、制御部１０による制御のもと、車両情報を示す画像を表示する。
【００１１】
フラッシュメモリ２０は、不揮発性記憶素子に相当し、例えば、ｅＭＭＣ(Embedded Multi Media Card) ＮＡＮＤ Ｆｌａｓｈ ＲＯＭからなる。
図２及び図３に示すように、フラッシュメモリ２０の記憶領域は第１パーティション２１と第２パーティション２２に分けられている。
第２パーティション２２には、将来的に第１パーティション２１に移される更新データ、例えば、カスタマイズ用画像データＤ２が一時的に記憶される。第２パーティション２２はＭＬＣとしてデータが記憶される。ＭＬＣにおいては、フラッシュメモリ２０の各セルの電圧値と３つの閾値の比較により４つの状態の何れであるかによりデータの値が制御部１０により判断される。すなわち、ＭＬＣにおいては、１つのセルに２ビットのデータを含ませることができる。
【００１２】
第１パーティション２１には、ディスプレイ３０に画像を表示する際に利用される画像データＤ１及び制御部１０の動作プログラム等が記憶されている。第１パーティション２１はｐＳＬＣ（Pseudo Single Level Cell）としてデータが記憶される。ｐＳＬＣは、ＭＬＣのフラッシュメモリ２０に対して擬似的にＳＬＣのようにデータを記憶させる方法である。ｐＳＬＣにおいては、フラッシュメモリ２０の各セルの電圧値と一つの閾値の比較により２つの状態の何れであるかに基づいてデータの値が制御部１０により判断される。すなわち、ｐＳＬＣにおいては、１つのセルに１ビットのデータを含ませることができる。
【００１３】
ｐＳＬＣの第１パーティション２１は、ＭＬＣの第２パーティション２２よりも長期間にわたってデータを保持することができるものの記憶容量が小さくなる。例えば、フラッシュメモリ２０の合計の記憶容量が８ギガの場合において、パーティション毎に４ギガの記憶容量が割り当てられても、ｐＳＬＣの第１パーティション２１については２ギガ分のデータしか保存できない。従って、ｐＳＬＣの第１パーティション２１は長期間にわたるデータの保存に適しており、ＭＬＣの第２パーティション２２は一時的なデータの保存に適している。
【００１４】
制御部１０は、ＣＰＵ（Central Processing Unit)及びＧＤＣ（Graphic Display Controller）等からなり、車両用表示装置１全体を制御する。
【００１５】
図１に示すように、制御部１０は、機能として、ダウンロード処理部１１と、移動処理部１２と、を備える。ダウンロード処理部１１は、更新データであるカスタマイズ用画像データＤ２を第２パーティション２２にダウンロードする。移動処理部１２は、車両のイグニッションがオフであるとき、ダウンロードされたカスタマイズ用画像データＤ２を第２パーティション２２から第１パーティション２１に移動させる。
【００１６】
ここで、フラッシュメモリ２０においては、車両用表示装置１への無通電期間が長くなることにより、各セルの電圧が低下する。各セルの電圧が閾値を跨いで低下することによりデータが揮発するおそれがある。制御部１０は、データの揮発を抑制するため、フラッシュメモリ２０についてリフレッシュを実施する。リフレッシュは、定期的にフラッシュメモリ２０からデータを読み出して、その読み出したデータを再びフラッシュメモリ２０に書き込む処理である。制御部１０は、例えば、第１パーティション２１におけるリフレッシュを実施する頻度を第２パーティション２２におけるリフレッシュを実施する頻度よりも高める。これにより、第１パーティション２１に記憶されるデータを長期間にわたって保持することができる。
【００１７】
次に、図４のフローチャートを参照しつつ、制御部１０により実行される更新処理について説明する。この更新処理は、画像データＤ１をカスタマイズ用画像データＤ２に更新するための処理である。カスタマイズ用画像データＤ２は、例えば、画像データＤ１と異なる文字、図形又は記号により車両情報を示す。この更新処理は、例えば、ユーザからの希望により、ディーラーにて実行される。この更新処理は、カスタマイズ用画像データＤ２が記憶される図２に示す外部ＰＣ（personal computer）６０が車両用表示装置１に有線接続又は無線接続され外部ＰＣ６０から制御部１０に更新要求が送信されたときに開始される。
【００１８】
まず、ダウンロード処理部１１は、図２に示すように、外部ＰＣ６０からカスタマイズ用画像データＤ２を第２パーティション２２にダウンロードする（ステップＳ１０１）。ダウンロード処理部１１は、ダウンロード中に、カスタマイズ用画像データＤ２の第２パーティション２２への書き込み失敗した場合には、書き込み失敗したデータを消去して再度ダウンロードを開始する。
【００１９】
次に、移動処理部１２は、カスタマイズ用画像データＤ２のダウンロードが完了すると、車両のイグニッションがオフとなるのを待つ（ステップＳ１０２；ＮＯ）。移動処理部１２は、車両のイグニッションがオフとなった旨判別すると（ステップＳ１０２；ＹＥＳ）、図３に示すように、ダウンロードされたカスタマイズ用画像データＤ２を第２パーティション２２から第１パーティション２１に移動させる（ステップＳ１０３）。具体的には、移動処理部１２は、第２パーティション２２に記憶されるカスタマイズ用画像データＤ２を第１パーティション２１にコピーし、コピーが完了した後、第２パーティション２２のカスタマイズ用画像データＤ２を削除する。
以上で、更新処理が終了となる。
【００２０】
制御部１０は、更新処理の完了後、第１パーティション２１のカスタマイズ用画像データＤ２を画像データＤ１として利用しつつディスプレイ３０に画像を表示させる。これにより、ユーザの好みに合わせた車両情報に係る画像をディスプレイ３０に表示させることができる。
【００２１】
（効果）
以上、説明した一実施形態によれば、以下の効果を奏する。
【００２２】
（１）車両用表示装置１は、車両情報に係る画像を表示する表示部の一例であるディスプレイ３０と、画像データＤ１に基づきディスプレイ３０に画像を表示させる制御部１０と、画像データＤ１がｐＳＬＣとして記憶される第１パーティション２１、及び画像データＤ１を更新するための更新データであるカスタマイズ用画像データＤ２が一時的にＭＬＣとして記憶される第２パーティション２２を有する不揮発性記憶素子の一例であるフラッシュメモリ２０と、を備える。
この構成によれば、第１パーティション２１には画像データＤ１がｐＳＬＣとして記憶される。画像データＤ１は、ディスプレイ３０に車両情報に係る画像を表示するために必要となる重要なデータであり、記憶方式として長期間にわたって保持することができるｐＳＬＣが最適である。
また、第２パーティション２２には、カスタマイズ用画像データＤ２がＭＬＣとして記憶される。カスタマイズ用画像データＤ２は画像データＤ１を更新するため一時的に記憶されるため、長期間にわたって保持する必要がない。よって、カスタマイズ用画像データＤ２は記憶方式として記憶容量を小さくすることができるＭＬＣが最適である。
以上のように、第１パーティション２１と第２パーティション２２で記憶方式を異ならせることにより、更新データにより記憶容量が小さくなることを抑制しつつ、画像データＤ１を長期間にわたってデータを保持することができる。
【００２３】
（２）制御部１０は、更新データとしてカスタマイズ用画像データＤ２を第２パーティション２２にダウンロードするダウンロード処理部１１と、車両のイグニッションがオフであるとき、ダウンロードされたカスタマイズ用画像データＤ２を第２パーティション２２から第１パーティション２１に移動させる移動処理部１２と、を備える。
上記構成と異なり、カスタマイズ用画像データＤ２が直接に第１パーティション２１にダウンロードされる比較例では、ダウンロード中においては第１パーティション２１の画像データＤ１が利用できず、ディスプレイ３０に画像を表示させることができない。一方、上記構成によれば、カスタマイズ用画像データＤ２が第２パーティション２２にダウンロードされる際にも、第１パーティション２１の画像データＤ１は利用可能であるため、ディスプレイ３０に画像を表示させることができる。
上記構成によれば、カスタマイズ用画像データＤ２を第１パーティション２１に移動させる移動時間中においてはディスプレイ３０に画像を表示させることができない。しかしながら、この移動時間は、カスタマイズ用画像データＤ２をダウンロードする時間に比べて短い。このため、上記構成によれば、ディスプレイ３０に画像を表示させることができない期間を短くできる。
特に、車両用表示装置１が車両計器である場合、ディスプレイ３０に画像を表示させることができない期間は車両の走行ができないため、ディスプレイ３０に画像を表示させることができない期間を短くすることは有効である。
また、カスタマイズ用画像データＤ２を第２パーティション２２にダウンロードするときに電源電圧の変動等により書き込み失敗した場合には、書き込み失敗したカスタマイズ用画像データＤ２を消去して再度カスタマイズ用画像データＤ２が書き込まれる。この際、第２パーティション２２におけるＰ／Ｅ（Program/Erase）サイクルが多くなるものの、第１パーティション２１におけるＰ／Ｅサイクルは多くならない。よって、第１パーティション２１のＰ／Ｅサイクルを少なくすることができ、これにより第１パーティション２１に記憶されるデータを長期間にわたって保持することができる。
【００２４】
（３）フラッシュメモリ２０はＮＡＮＤ型のフラッシュメモリである。この構成によれば、比較的に安価であるＮＡＮＤ型のフラッシュメモリを利用しつつも、ＮＡＮＤ型のフラッシュメモリの弱点であるデータ保持期間の短さを、第１パーティション２１においてｐＳＬＣとしてデータを保存すること等により補うことができる。
【００２５】
（変形例）
なお、上記実施形態は、これを適宜変更した以下の形態にて実施することができる。
【００２６】
上記実施形態において、移動処理部１２は、車両のイグニッションがオフとなった旨判別すると（ステップＳ１０２；ＹＥＳ）、更新を実行するか否かを確認する確認画像をディスプレイ３０に表示してもよい。この確認画像は、「作業完了まで、最大××分、車両情報が表示できません。更新を行いますか？」といった旨のメッセージを含んでいてもよい。移動処理部１２は、この確認画像において、例えばステアリングスイッチにより更新を行う旨の操作が行われた場合、上記ステップＳ１０３の処理を実行する。
【００２７】
上記実施形態においては、不揮発性記憶素子であるフラッシュメモリ２０は、例えば、ｅＭＭＣＮＡＮＤ Ｆｌａｓｈ ＲＯＭであったが、不揮発性記憶素子は、これに限らず、ＮＯＲ Ｆｌａｓｈ Ｍｅｍｏｒｙ又はＲＡＷ ＮＡＮＤ Ｆｌａｓｈであってもよい。
【００２８】
上記実施形態においては、車両用表示装置１は、表示素子としてＴＦＴ液晶型のディスプレイ３０を備えていたが、これに限らず、表示素子として有機ＥＬ（Electro-Luminescence）ディスプレイを備えていてもよい。
【００２９】
上記実施形態においては、車両用表示装置１は、車両計器であったが、ヘッドアップディスプレイ装置であってもよい。この場合、ディスプレイ３０は表示光を照射する表示素子であり、この表示光はフロントガラス又はコンバイナに投射されることにより虚像が表示される。また、車両用表示装置１は、ナビゲーションシステムの表示装置であってもよい。
【００３０】
上記実施形態においては、ＭＬＣは１つのセルに２ビットのデータを記憶させていたが、これに限らず、１つのセルに２ビット以上のデータを記憶させてもよい。
【符号の説明】
【００３１】
１  車両用表示装置
１０  制御部
１１  ダウンロード処理部
１２  移動処理部
２０  フラッシュメモリ
２１  第１パーティション
２２  第２パーティション
３０  ディスプレイ
Ｄ１  画像データ
Ｄ２  カスタマイズ用画像データ
【図１】
2020003836.tif 000003
【図２】
2020003836.tif 000004
【図３】
2020003836.tif 000005
【図４】
2020003836.tif 000006